(57)【要約】【課題】使用状況や撮影環境に応じて使用者に、各種の情報や警告を音声で伝達可能にしたデジタルカメラを提供する。【解決手段】制御手段が、使用状況や撮影環境に応じて使用者へ報告や警告をする必要があるか否かを判断し、使用者へ報告や警告をする必要がある事項に応じたデータを警告、報告用のデータを記憶した音声メモリから選択して音声メッセージを作成し、スピーカへ出力して放音させるように制御する。これにより使用者は、聴覚を用いて各種の情報や警告を音声で直ちに正確に認識できる。【選択図】　図４
2004117799.tif 000002
【特許請求の範囲】
【請求項１】
被写体像を撮影して前記被写体像を示すデジタル画像データを取得し、取得した前記デジタル画像データを記録メディアに記録するデジタルカメラであって、
警告する事項及び報告する事項の少なくとも一方の事項毎に、各事項に応じた音声メッセージのデータが記憶された音声メモリと、
音声メッセージを放音するスピーカと、
使用状況及び撮影環境の少なくとも一方に応じて使用者へ報告及び警告の少なくとも一方を行う必要があるか否かを判断し、使用者へ報告及び警告の少なくとも一方を行う必要がある場合には、その報告及び警告の少なくとも一方を行う必要がある事項に対応する音声メッセージを前記スピーカへ出力して放音させるように制御する制御手段と、
を有することを特徴とするデジタルカメラ。
【請求項２】
前記制御手段が、前記記録メディアの残り撮影可能枚数を算出し、前記音声メモリの音声データから選択した音声メッセージと残り撮影可能枚数とを合成した音声メッセージを作成し、前記スピーカへ出力して放音させるように制御することを特徴とする請求項１に記載のデジタルカメラ。
【発明の詳細な説明】
【０００１】
【発明の属する技術分野】
この発明は、カメラの使用状況や撮影環境などに応じて使用者に、各種の情報や警告を伝える機能を備えたデジタルカメラに関する。
【０００２】
【従来の技術】
一般のディジタルカメラは、その本体の背面にＬＣＤ（Ｌｉｑｕｉｄ　Ｃｒｙｓｔａｌ　Ｄｉｓｐｌａｙ）を備え、使用者が、このＬＣＤを用いたＧＵＩ（Ｇｒａｐｈｉｃａｌ　Ｕｓｅｒ　Ｉｎｔｅｒｆａｃｅ）によってカメラを操作する。このようなデジタルカメラでは、そのカメラモードにおいて被写体を認識し、再生モードにおいて記録媒体から所望の画像を再生し、さらにメニューモードにおいて細かな動作を設定する動作が行われる。
【０００３】
このＬＣＤにバッテリの残量が不足していたりメモリカードが装着されてないときに所定の警告を表示することによって、使用者が操作ミスをすることを回避可能にしている。
【０００４】
また、デジタルカメラは、撮影時に満足していなければならない条件（撮影条件）が多い。このためＬＣＤに表示する情報量も多くなって、使用者がＬＣＤに表示された情報を見落としやすくなる。
【０００５】
つまり、使用者が、警告表示に気づかずに撮影を実行して動作設定を誤ったまま撮影するミスが発生する。すなわち、使用者は、デジタルカメラによって、ピンぼけや手振れをした画像を撮影したり肝心な場面で撮影残枚数が０に達したりバッテリが切れたりして撮影不能な状態となって、シャッタチャンスを逃がしてしまうことがある。
【０００６】
そこで、従来のデジタルカメラには、カメラモードが設定されると内蔵されたマイコンがバッテリの残量やメモリカードの有無およびメモリカードの空き容量のような被写体に関係しない撮影条件を判別する機能を設けている。そして、使用者がデジタルカメラのレリーズボタンを半押しすると、マイコンがプリ露光を実行し、これによって得られた画像データから輝度評価値およびＡＦ評価値を算出する。
【０００７】
次に、マイコンは、これらの評価値からレンズが指で覆われていないかどうかやモードが正しく設定されているかどうかなどの被写体に関係する撮影条件を判別する。次に、撮影条件の１つでも満足されなければ、マイコンが絞りユニットを駆動して警告音を発生させるようにしたデジタルカメラが提案されている（例えば、特許文献１参照。）。
【０００８】
【特許文献１】
特開２０００−１３６４７公報
【０００９】
【発明が解決しようとする課題】
上述のような従来提案されているデジタルカメラの使用者は、マイコンが絞りユニットを駆動して発生させた警告音を聞いても、即座に警告の原因を認識することは困難であるから、ＬＣＤに表示された情報を勘案して警告の意味を理解しなければならない。
【００１０】
また、デジタルカメラでは、バッテリの消耗を抑えるためにＬＣＤに画像を表示させないＬＣＤの０ＦＦ状態で、撮影を行う場合がある。
【００１１】
このように従来提案されているデジタルカメラでは、撮影時にＬＣＤが０ＦＦ状態にされていれば、マイコンが絞りユニットを駆動して発生させた警告音を聞いても、ＬＣＤが０ＦＦ状態で情報が表示されていないから、警告の意味を認識することが困難であるという問題がある。
【００１２】
本発明は上記事実に鑑み、使用状況や撮影環境などに応じて使用者に、各種の情報や警告を音声で伝達可能にしたデジタルカメラを新たに提供することを目的とする。
【００１３】
【課題を解決するための手段】
本発明の請求項１に記載のデジタルカメラは、被写体像を撮影して被写体像を示すデジタル画像データを取得し、取得したデジタル画像データを記録メディアに記録するデジタルカメラであって、警告する事項及び報告する事項の少なくとも一方の事項毎に、各事項に応じた音声メッセージのデータが記憶された音声メモリと、音声メッセージを放音するスピーカと、使用状況及び撮影環境の少なくとも一方に応じて使用者へ報告及び警告の少なくとも一方を行う必要があるか否かを判断し、使用者へ報告及び警告の少なくとも一方を行う必要がある場合には、その報告及び警告の少なくとも一方を行う必要がある事項に対応する音声メッセージをスピーカへ出力して放音させるように制御する制御手段と、を有することを特徴とする。
【００１４】
上述のように構成することにより、デジタルカメラの使用状況や撮影環境などに応じて使用者に、デジタルカメラのスピーカから各種の情報や警告を音声で伝達できる。よって、使用者は、視覚を用いて表示手段としてのＬＣＤを見なくても、聴覚を用いて各種の情報や警告を音声で直ちに正確に認識できる。
【００１５】
請求項２記載の発明は、請求項１に記載のデジタルカメラにおいて、制御手段が、記録メディアの残り撮影可能枚数を算出し、音声メモリの音声データから選択した音声メッセージと残り撮影可能枚数とを合成した音声メッセージを作成し、スピーカへ出力して放音させるように制御することを特徴とする。
【００１６】
上述のように構成することにより、残り撮影可能枚数を特定した音声メッセージを使用者に伝達して、使用者の使い勝手を向上できる。
【００１７】
【発明の実施の形態】
本発明のデジタルカメラに関する実施の形態について、以下に図面を参照しながら説明する。本実施の形態に係わるデジタルカメラには、図１（Ａ）に示すように、デジタルカメラ１０の本体の正面に、露光に際して被写体が適正な露光光量が得られない低照度の場合に発光されるストロボ１２と、撮影される被写体像と略同等の像を示す光が入射するファインダー窓１４と、被写体像を結像させるための光学ユニット１６と、音声メッセージを放音可能なスピーカ２０とが設けられている。
【００１８】
なお、デジタルカメラ１０の側面には、撮影によって得られた画像データをデジタルデータとして記憶する可搬型の記録メディア２２を装着可能なスロット２４が設けられている。
【００１９】
一方図１（Ｂ）に示すようにデジタルカメラ１０の背面には、ファインダー窓１４から入射した光が図示しない光学部材を介して案内され、撮影する被写体像の構図を決定する際に使用者（撮影者）によって覗かれるファインダー接眼部２８が設けられている。
【００２０】
さらに必要に応じてデジタルカメラ１０の背面には、撮影によって得られた被写体像、各種メニュー、パラメータ等を表示する表示手段としてのＬＣＤ２６を設けても良い。
【００２１】
このデジタルカメラ１０の背面には、所望のメニュー項目又はパラメータを選択する際に操作される十字ボタン３０、各種指示を入力するために押圧操作される指示入力ボタン３２が設けられている。
【００２２】
このデジタルカメラ１０の上面には、デジタルカメラ１０の各部への電源電力の供給／供給停止の切り替えを行う電源スイッチ３４と、撮影記録の指示入力のために使用者によって押圧操作されるシャッタスイッチ（いわゆるレリーズスイッチ）３６と、撮影モードを選択する際に使用者によって回転操作されるモードダイヤル３８とが設けられている。
【００２３】
このシャッタスイッチ３６は、全押しされたときに、撮影記録の動作を行い、シャッタスイッチ３６が半押しされたときに、いわゆるプリ露光の動作（撮影記録の準備動作）を実行する。
【００２４】
次に、図２を参照して、本実施の形態に係るデジタルカメラ１０の電気系の構成を説明する。
【００２５】
同図に示すように、デジタルカメラ１０は、光学ユニット１６を通過した被写体像を示す入射光に基づき被写体を撮像して被写体像を示すアナログ画像信号を出力する撮像素子としてのＣＣＤ（Ｃｈａｒｇｅ　Ｃｏｕｐｌｅｄ　Ｄｅｖｉｃｅ）４０と、入力された信号に対して所定のアナログ信号処理を施すアナログ信号処理部４２と、入力されたアナログ信号をデジタル信号に変換するアナログ／デジタル変換器（以下、「Ａ／Ｄ変換器」という。）４４と、入力されたデジタル信号に対して所定のデジタル信号処理を行うＤＳＰ（Ｄｉｇｉｔａｌ　Ｓｉｇｎａｌ　Ｐｒｏｃｅｓｓｏｒ）４６と、主として被写体像を示すデジタル信号によって示される情報を記憶するＳＤＲＡＭ（Ｓｙｎｃｈｒｏｎｏｕｓ　Ｄｙｎａｍｉｃ　Ｒａｎｄｏｍ　Ａｃｃｅｓｓ　Ｍｅｍｏｒｙ）４８と、各種プログラムや所定データ等の情報が記憶されたフラッシュＲＯＭ（Ｆｌａｓｈ　Ｒｅａｄ　Ｏｎｌｙ　Ｍｅｍｏｒｙ）５０と、各スロット２４に装填された記録メディア２２に対して各種情報を読み書きする書込手段としての記録メディア制御部（Ｉ／Ｆ）５２と、光学ユニット１６を駆動するための各種のモータ（例えば光学ユニット１６に含まれる撮影レンズを移動させるためのズームモータ、フォーカスレンズを移動させるためのＡＦ（Ａｕｔｏ　Ｆｏｃｕｓ）モータ、及び絞り・シャッタ機構を駆動するアイリスシャッタモータなど）を駆動するためのモータドライブ５４と、ＣＣＤ４０に対する撮影時のタイミング制御を行うＣＣＤ制御部５６と、ストロボ１２の発光の制御を行うストロボ制御部５８とを備えている。
【００２６】
さらに、記録メディア制御部（Ｉ／Ｆ）５２は、記録メディア２２の残容量（記録可能な空容量）を検出する機能を有し、撮影データを記録メディア２２に記録中であることを検知可能な機能を有し、撮影データを記録メディア２２に記録完了したことを検知可能な機能を有し、スロット２４に記録メディア２２が装着されていないことを検知可能な機能を有し、スロット２４に装着された記録メディア２２が適切にフォマットされていないことを検知可能な機能を有する。
【００２７】
また、デジタルカメラ１０は、スピーカ２０から放音させる音声メッセージのための音声データが記憶された音声メモリ５１を備えている。
【００２８】
この音声メモリ５１には、予め音声データとして、例えば、撮影可能な画像残り枚数を知らせるための音声データ、バッテリの残量を知らせるための音声データ、手ぶれ警告の音声データ、ＡＦ測距警告の音声データ、撮影データの記録中であることを警告する音声データ、撮影データの記録完了を知らせるための音声データ、スロット２４に記録メディア２２が装着されていないことを警告するための音声データ、スロット２４に装着された記録メディア２２が、適切にフォマットされていないことを警告するための音声データ及びセルフタイマーのカウントダウンを放音するための音声データ等を記憶させておく。
【００２９】
すなわち、図６のメモリマップに例示するように、項目欄に記載の各事項に各々対応して、音声メッセージ欄に所定の音声メッセージを設定した音声データを記憶されせておく。なお、この項目欄と、音声メッセージ欄との内容は、各デジタルカメラ１０の機能等に応じて任意に設定できる。
【００３０】
ここで、手ぶれ警告の音声メッセージ、ＡＦ測距警告の音声メッセージ、撮影データの記録中であることを警告する音声メッセージ、スロット２４に記録メディア２２が装着されていないことを警告するための音声メッセージ、スロット２４に装着された記録メディア２２が適切にフォマットされていないことを警告するための音声メッセージは、警告する事項であり、撮影可能な画像残り枚数を知らせる音声メッセージ、バッテリの残量を知らせるための音声メッセージ、撮影データの記録完了を知らせるための音声メッセージ、セルフタイマーのカウントダウンの音声メッセージは、報告する事項である。
【００３１】
さらに、デジタルカメラ１０は、入力された音声データを音声信号に変換してスピーカ２０へ出力し、このスピーカ２０から音声メッセージを発生されせるための音声変換部５３を備えている。
【００３２】
このデジタルカメラ１０は、デジタルカメラ１０全体の動作を司る制御手段としてのＣＰＵ（中央演算処理装置）６０を更に備えている。このＣＰＵ６０は、ＳＤＲＡＭ４８、フラッシュＲＯＭ５０及び音声メモリ５１と共にメインバスＭＢに接続されており、ＳＤＲＡＭ４８、フラッシュＲＯＭ５０及び音声メモリ５１に任意にアクセスすることができる。
【００３３】
また、制御手段としてのＣＰＵ６０は、十字ボタン３０、指示入力ボタン３２、電源スイッチ３４、シャッタスイッチ３６、及びモードダイヤル３８といったデジタルカメラ１０に設けられている操作手段と接続されており、これら操作手段の使用者による操作状態を常時把握できる。
【００３４】
この制御手段としてのＣＰＵ６０は、デジタルカメラ１０に備えた電源となるバッテリに蓄電されている電力量を検出するバッテリ残量検出部３１と接続されており、バッテリの残量を常時把握できる。
【００３５】
この制御手段としてのＣＰＵ６０は、シャッタスピードが所定値以下になったことを検出して手ぶれを生じる虞があるか否かを判別し、手ぶれ警告を発するための機能を備え、ピントが合焦しているか否かを判別し、ＡＦ測距警告を発するための機能を備えると共に、セルフタイマーによって撮影するためのセルフタイマーのカウントダウンを実行するための機能を備える。
【００３６】
さらに、この制御手段としてのＣＰＵ６０は、ＬＣＤ２４（必要に応じて設ける）、ＤＳＰ４６、記録メディア制御部５２、モータドライブ５４、ＣＣＤ制御部５６、及びストロボ制御部５８とも接続されており、使用者による操作手段（十字ボタン３０、電源スイッチ３４、シャッタスイッチ３６、及びモードダイヤル３８）の操作状態に応じて、これら各部の作動を制御する。
【００３７】
詳しくは、ＣＰＵ６０は、撮影モード時は、所定のタイミングでＣＣＤ制御部５６を駆動させ、ＣＣＤ４０に被写体像を撮影させる。
【００３８】
また、制御手段としてのＣＰＵ６０は、各種の動作を実行する際、使用者へ警告や報告をする必要が生じたときに、その警告や報告すべき状態に応じて、音声メモリ５１内に予め記憶させて用意された音声データを選択して読み出し、又は他の測定値と合成してメッセージデータを作成し、これらの音声データ又は作成されたメッセージデータを音声変換部５３へ送って、Ｄ／Ａ変換してスピーカ２０へ出力し、スピーカ２０から音声メッセージを放音させる。
【００３９】
なお、このデジタルカメラ１０では、ＬＣＤ２６や液晶等の表示手段に表示されるメッセージをスピーカ２０から音声メッセージとして放音させるようにして、ＬＣＤ２６や液晶等の表示手段を省略して構成することにより、廉価な製品を提供できる。
【００４０】
図２に示すように、ＣＣＤ４０の出力端はアナログ信号処理部４２の入力端に、アナログ信号処理部４２の出力端はＡ／Ｄ変換器４４の入力端に、Ａ／Ｄ変換器４４の出力端はＤＳＰ４６の入力端に、各々接続されている。また、ＤＳＰ４６及びＳＤＲＡＭ４８は共にメインバスＭＢに接続されている。
【００４１】
ＣＣＤ４０から出力された被写体像を示すアナログ画像信号は、アナログ信号処理部４２により所定のアナログ信号処理が施され、次いでＡ／Ｄ変換器４４によりデジタル画像信号に変換された後、ＤＳＰ４６により所定のデジタル信号処理が施されてデジタル画像データとしてＳＤＲＡＭ４８に一旦記憶される。
【００４２】
より詳しくは、ＤＳＰ４６では、デジタル画像信号に対して、光源種に応じたデジタルゲインをかけることでホワイトバランス調整を行うと共に、ガンマ処理及びシャープネス処理を行って所定のデジタル画像データを生成し、更にＹＣ変換処理して、輝度データＹとクロマデータＣｒ、Ｃｂ（以下「ＹＣデータ」という）を生成し、このＹＣデータを被写体像が表わされるデジタル画像データとしてＳＤＲＡＭ４８に格納する。
【００４３】
また、このＤＳＰ４６は、記録メディア制御部５２及びＬＣＤ２４とも接続されており、ＳＤＲＡＭ４８に記憶されたデジタル画像データは、図示しない圧縮伸長手段により所定の圧縮方式で圧縮された後、ＤＳＰ４６から記録メディア制御部５２に転送され、記録メディア制御部５２により記録メディア２２に記憶することができる。
【００４４】
なお、記録メディア２２としては、スマートメディア、ＰＣカート、マイクロドライブ、マルチメディアカード（ＭＭＣ）、磁気ディスク、光ディスク、光磁気ディスク、メモリスティックなどの種々の形態が可能であり、使用されるメディアに応じた信号処理手段とインターフェースが適用される。
【００４５】
また、ＤＳＰ４６は、必要に応じてＯＳＤ（Ｏｎ　Ｓｃｒｅｅｎ　Ｄｉｓｐｌａｙ）機能を備えるものとし、各種のビットマップデータに基づいてメニュー画面、パラメータ設定値、マークなどをＬＣＤ２６に表示可能としても良い。
【００４６】
次に、本実施の形態に係わるデジタルカメラの作用及び動作を説明する。本実施の形態のデジタルカメラ１０は、電源スイッチ３４の操作により起動される。
【００４７】
使用者は、通常の撮影を行う場合には、モードダイヤル３８を操作して通常撮影モードに切替えてから、光学ファインダ（電子ビューファインダがあるときはこれを用いても良い）により被写体の構図を決定し、シャッタスイッチ３６を押圧操作する。
【００４８】
この操作を受けて、デジタルカメラ１０では、ＣＰＵ６０の制御により、以下の如く動作する。すなわち、ＣＣＤ４０により被写体像を撮影し、ＣＣＤ４０の出力結果に基づいて被写体像を示すデジタル画像データがＤＳＰ４６で生成され、ＳＤＲＡＭ４８に一旦記憶される（記録用の画像データの取り込み）。その後、このデジタル画像データは、ＤＳＰ４６によりＳＤＲＡＭ４８から読み出されて、記憶メディア制御部５２によりスロット２４に装填されている記録メディア２２に記録される。
【００４９】
また、デジタルカメラ１０では、電源スイッチ３４がオン状態において警告、報告制御処理を実行する。この警告、報告処理は、所要のタイミグ（使用者へ警告や報告をする必要が生じた時点又はシャッタスイッチ３６が半押しされた時点でも良い）で、制御手段としてのＣＰＵ６０が使用者へ警告や報告をする必要がある事項についての音声データを音声メモリ５１から選択して読み出し、この音声データ、又は音声データと他の測定値とを合成して作成したメッセージデータを、音声変換部５３へ送信してＤ／Ａ変換してスピーカ２０へ出力し、スピーカ２０から音声メッセージを放音させることにより行われる。
【００５０】
次に、デジタルカメラ１０で実行する警告、報告制御処理の具体例を、図３乃至図５のフローチャートによって説明する。
【００５１】
図３のフローチャートに示す警告、報告制御処理は、デジタルカメラ１０における通常の使用状態で行われる警告、報告制御処理であり、そのステップ１００で、制御手段としてのＣＰＵ６０は、所定の各出力値を取り込む。例えば、バッテリ残量検出部３１から電源となるバッテリに蓄電されている電力量であるバッテリ残量の検出値を取り込む。
【００５２】
次に、ステップ１０２へ進み、ＣＰＵ６０は、取り込んだ所定の各出力値が警告、報告の必要があるか否かを判断する。例えば、バッテリ残量の検出値が所定の閾値以下か否かを判断する。
【００５３】
そして、制御手段としてのＣＰＵ６０は、警告、報告の必要がないと判断した場合には、この警告、報告制御処理を完了し、警告、報告の必要があると判断した場合には、ステップ１０４へ進んで音声による警告、報告処理を実行する。
【００５４】
例えば、ステップ１０２でＣＰＵ６０が、バッテリ残量の検出値が所定の閾値以下で警告、報告の必要があると判断した場合には、ステップ１０４へ進み、ＣＰＵ６０が音声メモリ５１からバッテリ残量が残り少なくなったことを報告する音声データを選択して読み出し、この音声データを音声変換部５３へ送ってＤ／Ａ変換してスピーカ２０へ出力し、スピーカ２０からバッテリ残量が残り少なくなったことを報告する音声メッセージを放音させ、警告、報告制御処理を完了する。
【００５５】
次に、デジタルカメラ１０で実行する、記録媒体に記録することに関する警告、報告制御処理の具体例を、図４のフローチャートによって説明する。
【００５６】
このデジタルカメラ１０のＣＰＵ６０は、ステップ１０６で、スロット２４に記録メディア２２が装着されているかを判別し、スロット２４に記録メディア２２が未装着の場合は、ステップ１０８へ進み記録媒体未装着音声報告処理を実行する。
【００５７】
この記録媒体未装着音声報告処理は、ＣＰＵ６０が音声メモリ５１から記録媒体未装着であることを報知する音声データを選択して読み出し、この音声データを音声変換部５３へ送ってＤ／Ａ変換してスピーカ２０へ出力し、スピーカ２０から記録媒体未装着であることを報告する音声メッセージを放音させ、警告、報告制御処理を完了する。
【００５８】
またステップ１０６で、スロット２４に記録メディア２２が装着されていると判断された場合は、ステップ１１０へ進み、記録メディア２２がフォーマット済みか否かを判断し、未フォーマットの場合は、ステップ１１２へ進み、未フォーマット音声報告処理を実行する。
【００５９】
この未フォーマット音声報告処理は、ＣＰＵ６０が音声メモリ５１から記録メディア２２が未フォーマットであることを報告する音声データを選択して読み出し、この音声データを音声変換部５３へ送ってＤ／Ａ変換してスピーカ２０へ出力し、スピーカ２０から記録メディア２２が未フォーマットであることを報告する音声メッセージを放音させ、警告、報告制御処理を完了する。
【００６０】
またステップ１１０で、記録メディア２２がフォーマット済みと判断した場合には、ステップ１１４へ進み、ＣＰＵ６０が記録メディア制御部（Ｉ／Ｆ）５２を介して記録メディア２２の現在の残り容量を検出し、次のステップ１１６へ進む。
【００６１】
ステップ１１６でＣＰＵ６０は、以下の式から残り撮影可能枚数Ａを算出する。
【００６２】
（記録メディア２２の現在の残り容量）／（撮影毎に記録媒体に記録される画像データ量）＝残り撮影可能枚数Ａ
次に、ステップ１１８へ進み、ＣＰＵ６０は、音声メモリ５１より、例えば「残りあと　枚です」というメッセージの音声データを選択し、次のステップ１２０へ進む。
【００６３】
ステップ１２０では、ステップ１１８で得た例えば「残りあと　枚です」という音声データと、ステップ１１６で得た残り撮影可能枚数Ａとを合成し、「残りあとＡ枚です」というメッセージデータを作成し、ステップ１２２へ進む。
【００６４】
ステップ１２２では、ＣＰＵ６０が作成したメッセージデータを音声変換部５３へ送信する処理を実行し、ステップ１２４へ進む。
【００６５】
ステップ１２４では、ＣＰＵ６０から送信されてきたメッセージデータを音声変換部５３がＤ／Ａ変換してから、スピーカ２０へ出力し、スピーカ２０から「残りあとＡ枚です」という音声メッセージを放音させて、次のステップ１２６へ進む。
【００６６】
ステップ１２６では、スロット２４に装着された記録メディア２２へ撮影データを記録する動作中か否かを判断し、撮影データの記録中でないと判断した場合は、記録媒体に記録することに関する警告、報告制御処理を完了する。
【００６７】
また、ステップ１２６で撮影データの記録中と判断した場合は、ステップ１２８へ進み、撮影データ記録中の音声報告処理を実行する。
【００６８】
この撮影データ記録中の音声報告処理は、ＣＰＵ６０が音声メモリ５１から撮影データ記録中であることを報告する音声データを選択して読み出し、この音声データを音声変換部５３へ送ってＤ／Ａ変換してスピーカ２０へ出力し、スピーカ２０から撮影データ記録中であることを報告する音声メッセージを放音させ、次のステップ１３０へ進む。
【００６９】
このステップ１３０では、撮影データの記録処理が完了するまで待機し、撮影データの記録処理を完了した時点でステップ１３２へ進み、撮影データの記録完了音声報告処理を実行する。
【００７０】
この撮影データの記録完了音声報告処理は、ＣＰＵ６０が音声メモリ５１から撮影データの記録処理を完了したことを報告する音声データを選択して読み出し、この音声データを音声変換部５３へ送ってＤ／Ａ変換してスピーカ２０へ出力し、スピーカ２０から撮影データの記録処理を完了したことを報告する音声メッセージを放音させて、警告、報告制御処理を完了する。
【００７１】
次に、デジタルカメラ１０で実行する、撮影に関する警告、報告制御処理の具体例を、図５のフローチャートによって説明する。
【００７２】
このデジタルカメラ１０のＣＰＵ６０は、ステップ１３４で、現時点で設定されているシャッタスピードが所定の閾値以上か否かを判断し、シャッタスピードが所定の閾値未満の場合は、ステップ１３６へ進み、手ぶれ音声警告処理を実行する。
【００７３】
この手ぶれ音声警告処理では、ＣＰＵ６０が音声メモリ５１から手ぶれが起こることを警告する音声データを選択して読み出し、この音声データを音声変換部５３へ送ってＤ／Ａ変換してスピーカ２０へ出力し、スピーカ２０から手ぶれが起こることを警告する音声メッセージを放音させる。この後、次のステップ１３８へ進む。
【００７４】
ステップ１３４で、現時点で設定されているシャッタスピードが、所定の閾値以上と判断した場合は、ステップ１３８へ進み、ＣＰＵ６０は、現時点でピントが合焦しているか否かを判断し、ピントが合焦していない場合は、ステップ１４０へ進み、ＡＦ測距音声警告処理を実行する。
【００７５】
このＡＦ測距音声警告処理は、ＣＰＵ６０が音声メモリ５１からピントが合焦していないことを警告する音声データを選択して読み出し、この音声データを音声変換部５３へ送ってＤ／Ａ変換してスピーカ２０へ出力し、スピーカ２０からピントが合焦していないことを警告する音声メッセージを放音させる。この後、次のステップ１４２へ進む。
【００７６】
ステップ１３８で、現時点でピントが合焦していると判断した場合は、ステップ１４２へ進む。
【００７７】
ステップ１４２では、セルフタイマーカウントダウンの指令が有るか否かを判断し、セルフタイマーカウントダウンの指令がない場合には撮影に関する警告、報告制御処理を完了し、セルフタイマーカウントダウンの指令が有る場合にはステップ１４４へ進んで、セルフタイマーのカウントダウン音声報告処理を実行する。
【００７８】
このセルフタイマーのカウントダウン音声報告処理は、ＣＰＵ６０が音声メモリ５１からセルフタイマーのカウントダウンの音声データを選択して読み出し、この音声データを音声変換部５３へ送ってＤ／Ａ変換してスピーカ２０へ出力し、スピーカ２０からセルフタイマーのカウントダウンをする音声メッセージを放音させる。この後、撮影に関する警告、報告制御処理を完了する。
【００７９】
【発明の効果】
本発明のデジタルカメラによれば、デジタルカメラの使用状況や撮影環境などに応じて使用者に、デジタルカメラのスピーカから各種の情報や警告を音声で伝達できる。よって、使用者は、視覚を用いて表示手段としてのＬＣＤを見なくても、聴覚を用いて各種の情報や警告を音声で直ちに正確に認識できるという効果がある。
【図面の簡単な説明】
【図１】図１（Ａ）は、本発明の実施の形態に係るデジタルカメラを示す正面図、図１（Ｂ）は、本発明の実施の形態に係るデジタルカメラを示す背面図である。
【図２】本発明の実施の形態に係るデジタルカメラの電気系の構成を示すブロック図である。
【図３】本発明の実施の形態に係るデジタルカメラにおいて、制御手段であるＣＰＵで行われる警告、報告制御処理を示すフローチャートである。
【図４】本発明の実施の形態に係るデジタルカメラにおいて、制御手段であるＣＰＵで行われる記録に関する警告、報告制御処理を示すフローチャートである。
【図５】本発明の実施の形態に係るデジタルカメラにおいて、制御手段であるＣＰＵで行われる撮影に関する警告、報告制御処理を示すフローチャートである。
【図６】本発明の実施の形態に係るデジタルカメラにおいて、制御手段であるＣＰＵで行われる撮影に関する警告、報告制御処理に利用される音声メモリのメモリマップを示す説明図である。
【符号の説明】
１０　デジタルカメラ
１４　ファインダー窓
２０　スピーカ
２２　記録メディア
２４　スロット
３１　バッテリ残量検出部
３６　シャッタスイッチ
５１　音声メモリ
５２　記録メディア制御部
５３　音声変換部
【図１】
2004117799.tif 000003
【図２】
2004117799.tif 000004
【図３】
2004117799.tif 000005
【図４】
2004117799.tif 000006
【図５】
2004117799.tif 000007
【図６】
2004117799.tif 000008